(57)【要約】  異なるサイズの少なくとも３つの衛生吸収性物品（２０）の（２００）のラインナップが開示される。各物品は、物品の前側領域（１５）及び後側領域（１６）が腰部開口部を形成するように、物品の前側領域上の締着領域（４４）に締結され得る締着具（４２）の対を含む。前側領域内の締着領域は、最も内側の締着表示部の対（Ａ−Ａ）と、最も外側の表示部の対（Ｃ−Ｃ）と、好ましくは中間の締着表示部の少なくとも１つの対（Ｂ−Ｂ）とを含む。最も内側の締着表示部の対の距離（間隔）は、物品のサイズと共に増大する。
2020505184.tif 000002
【特許請求の範囲】
【請求項１】
個人衛生吸収性物品のラインナップ（２００）であって、前記ラインナップは少なくとも３つのパッケージを含み、第１のパッケージ（２１０）は第１のサイズ（Ｓ）を有する物品を含み、第２のパッケージ（２２０）は第２のサイズ（Ｍ）を有する物品を含み、第３のパッケージ（２３０）は第３のサイズ（Ｌ）を有する物品を含み、各サイズは異なる体重範囲を有し、前記第３のサイズの前記体重範囲は、前記第２のサイズの前記体重範囲よりも部分的に高く、前記第２のサイズの前記体重範囲は、前記第１のサイズの前記体重範囲よりも部分的に高く、
前記ラインナップ内の各物品は、前縁部（１０）、後縁部（１２）を有し、前記前縁部の中央から前記後縁部の中央まで延在する長手方向軸（８０）によって概念的に分割され、前記物品は、前側領域（１５）及び後側領域（１６）に概念的に分割され得、各領域は、前記長手方向軸に沿って測定したときに等しい長さ（Ｌ／２）を有し、
前記後側領域は、前記前縁部及び前記後縁部が腰部開口部を形成するように、前記物品の前記前側領域上の締着領域（４４）に締着され得る締着具（４２）の対を備え、
前記前側領域の前記締着領域は、最も内側の締着表示部の対（Ａ−Ａ）及び最も外側の締着表示の対（Ｃ−Ｃ）を含み、各対の一方の部材は、前記長手方向軸の一方の側に配置され、その対の他方の部材は、前記長手方向軸の他方の側に対称的に配置され、各対の前記２つの部材は、それぞれの間隔だけ離れており、
前記第３のサイズの前記物品の最も内側の締着表示部の対の間隔（Ａ’’−Ａ’’）は、前記第２のサイズの前記物品の前記最も内側の締着表示部の対の間隔（Ａ’−Ａ’）よりも大きく、前記第２のサイズの前記物品の前記最も内側の締着表示部の対の間隔（Ａ’−Ａ’）は、前記第１のサイズの前記物品の前記最も内側の締着表示部の対の間隔（Ａ−Ａ）よりも大きいことを特徴とする、個人衛生吸収性物品のラインナップ（２００）。
【請求項２】
前記第３のサイズの前記物品の前記最も外側の締着表示部の対の前記間隔（Ｃ’’−Ｃ’’）は、前記第２のサイズの前記物品の前記最も外側の締着表示部の対の間隔（Ｃ’−Ｃ’）よりも大きく、前記第２のサイズの前記物品の前記最も外側の締着表示部の対の間隔（Ｃ’−Ｃ’）は、前記第２のサイズの前記物品の前記最も外側の締着表示部の対の間隔（Ｃ−Ｃ）よりも大きい、請求項１に記載の吸収性物品のラインナップ。
【請求項３】
前記物品の各締着領域は、前記最も内側の締着表示部の対と前記最も外側の締着表示部の対の間に中間表示部（Ｂ、Ｂ’、Ｂ’’）の１つ以上の対を更に含む、請求項１〜２のいずれか一項に記載の吸収性物品のラインナップ。
【請求項４】
前記締着表示部は、数値的な表示を含み、前記数値的な表示が、最も内側の表示部から最も外側の表示部まで増加する、請求項１〜３のいずれか一項に記載の吸収性物品のラインナップ。
【請求項５】
前記締着表示部は、円又は正多角形のような中心を有する幾何学的形状を含む、請求項１〜４のいずれか一項に記載の吸収性物品のラインナップ。
【請求項６】
各物品に関して、前記長手方向軸（Ａ−Ｂ、Ｂ−Ｃ）の同じ側の２つの隣接する表示部の間の距離は、全ての隣接する表示部に関して実質的に同じである、請求項１〜５のいずれか一項に記載の吸収性物品のラインナップ。
【請求項７】
前記第１のサイズの物品、前記第２のサイズの物品、及び前記第３のサイズ物品はそれぞれ、最も内側の表示部上の対（Ａ、Ａ）、最も外側の表示部の対（Ｃ、Ｃ）、及び中間表示部の対（Ｂ、Ｂ）を厳密に含む、請求項１〜６のいずれか一項に記載の吸収性物品のラインナップ。
【請求項８】
前記長手方向軸（Ａ、Ｂ、Ｃ）の同じ側の隣接する前記表示部は直線的に整列されている、請求項１〜７のいずれか一項に記載の吸収性物品のラインナップ。
【請求項９】
各物品は、トップシート（２４）と、バックシート（２５）と、前記トップシートと前記バックシートとの間の吸収性コアと、を含み、前記締着領域は、前記バックシートの外側に取り付けられたランディングゾーン材料（４４）を含む、請求項１〜８のいずれか一項に記載の吸収性物品のラインナップ。
【請求項１０】
前記締着表示部が前記ランディングゾーン材料上に印刷されている、又は前記締着表示部が前記バックシート上に印刷され且つ前記ランディングゾーン材料を通して見える、請求項１〜９のいずれか一項に記載の吸収性物品のラインナップ。
【請求項１１】
前記締着具のそれぞれは、弾性後耳部（４０）によって前記物品の前記後側領域（１６）に取り付けられる、請求項１〜１０のいずれか一項に記載の吸収性物品のラインナップ。
【請求項１２】
各締着具は、フック部を有する締着テープ（４２）を含み、前記最も内側の表示部の前記間隔は少なくとも４０ｍｍである、請求項１〜１１のいずれか一項に記載の吸収性物品のラインナップ。
【請求項１３】
前記最も内側の表示部の前記間隔は、少なくとも５０ｍｍである、請求項１〜１２のいずれか一項に記載の吸収性物品のラインナップ。
【請求項１４】
前記ラインナップは第４のパッケージを含み、前記第４のパッケージは第４のサイズを有する物品を含み、前記第４のサイズの前記体重範囲は、前記第３のサイズの前記体重範囲よりも部分的に高く、前記第４サイズの前記物品の前記最も内側の締着表示部の対の前記間隔は、前記第３サイズの物品の前記最も内側の締着表示部の対（Ａ’’−Ａ’’）の間隔よりも大きい、請求項１〜１３のいずれか一項に記載のラインナップ。
【請求項１５】
前記第１、第２、及び第３のパッケージはそれぞれ、２個から２００個の前記第１、第２、及び第３の物品をそれぞれ含む、請求項１〜１４のいずれか一項に記載のラインナップ。
【発明の詳細な説明】
【技術分野】
【０００１】
本発明は、異なるサイズの個人衛生吸収性物品のラインナップに関する。物品は、特に乳児用おむつであってもよい。物品はそれぞれ、前側領域及び後側領域を含んでもよい。後側領域は、着用者が着用した場合に腰部開口部及び２つの脚部開口部を形成するように、物品の前側領域上の締着領域に締着され得る締着具の対を含む。本発明は、異なるサイズのラインナップにわたって、締着表示部の改善された配置を対象とする。
【背景技術】
【０００２】
個人衛生用の吸収性物品は、身体排泄物、例えば多量の尿を吸収し収容するように設計されている。いわゆるテープ式の又は再締着可能なおむつは、典型的には、おむつの前側領域上の締着領域に取り外し可能に締着され得る、おむつの後側領域の各側にそれぞれ配置された締着具の対を含む。介護者は、典型的には、おむつの内側表面が上向きに向いた状態で、交換マット又はベッドなどの水平面上でおむつを平らに広げる。乳児（又は成人用失禁製品については成人）の臀部は、着用者の背部がおむつの後側領域の上に位置した状態で、おむつの中央に向かって配置される。おむつの前側領域を着用者の前側腰部上に折り重ね、次いでおむつの前側領域上に後側領域の右側及び左側を折り畳むことによって、おむつを着用者の周囲で閉じる。おむつは、おむつの前側領域の締着領域に締着具を取り付けることによって、閉鎖位置に維持される。
【０００３】
おむつに使用される締着システムは、典型的には、フックを含む締着テープが、ループを含むおむつの前側腰部上の締着領域に取り外し可能に締結される、面ファスナータイプのものである。テープは、当該技術分野において既知のように、おむつの後側腰縁部の各側でおむつのシャーシに直接取り付けられてもよく、又は中間の材料片である後耳部を介して間接的に取り付けられてもよい。本明細書ではランディングゾーンと呼ばれるおむつの前側腰部に取り付けられた専用の材料片上にループを提供してもよく、又は不織布がバックシートカバーの外側表面として使用される場合には、不織布の繊維が、締着具のフックに十分な固定可能性を提供することができる。いくつかの例示的な締着システムは、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号（Ｂｕｅｌｌら）に開示されている。例示的なインターロック締着システムが米国特許第６，４３２，０９８号に開示されている。締着システムはまた、米国特許第４，９６３，１４０号（Ｒｏｂｅｒｔｓｏｎら）に開示されるように、使い捨て構成で物品を保持するための手段を提供し得る。
【０００４】
締着領域は、典型的には、吸収性物品の前縁部に隣接して配置され、おむつの前側領域の周囲の一部分に沿って延在する領域を覆う。テープ締着具は、締着領域上の位置を変えることによって、着用者の腰部の周りでよりしっかりと、又は締め付けすぎずに締着されることができる。締着具は、典型的には、物品の後縁部に沿った弾性後耳部又は弾性腰部特徴部などの弾性構成要素に取り付けられる。締着領域上の異なる位置で締着具を取り付けることは、典型的には、物品の腰部開口部に沿って異なる量の張力をもたらす。特に若い親達には、乳児の皮膚上の圧力痕を防止しながら、おむつの流体漏れを最小限に抑えるために、腰部開口部に十分な張力又は締め付けを提供するための、締着具の最適な配置を決定することが困難であり得る。
【０００５】
ほとんどの製造業者は、おむつの締着領域上に締着表示部を配置する。締着表示部は、締着テープのための可能な配置の目安を介護者に提供する可視的な合図又はガイドである。締着表示部は、典型的には、おむつの長手方向軸に対して対称に配置され、前側領域の周囲に沿って延在する、個々の表示部のいくつかの対を含んでもよい。例えば、各表示部は、円など、明確に画定された中心を有する規則的な幾何学的形状を含んでもよい。数値的な表示は、典型的には、円の中に存在してもよい。例えば、最も内側の締着表示部の対は、バックシート又はランディングゾーン上に印刷された数「１」を含んでもよい。より外側に配置された更なる対は、次の番号「２」及び「３」を含んでもよい。典型的には、表示部の３つの対（１−１、２−２、及び３−３）が使用されるが、いくつかのおむつは、締着表示部の第４の対（４−４）を有する。
【０００６】
乳児用おむつは、典型的には、乳児の所与の体重範囲にわたって設計される。例えば、ラインナップは、新生児用の第１のサイズ、サイズ１又は「ＮＢ」（例えば、最大５ｋｇ）から始まってもよく、次のサイズ２又は「Ｓ」は、例えば４〜８ｋｇの体重の乳児用に設計され、次のサイズ「Ｍ」又はサイズ３は、６〜１１ｋｇの乳児用に設計され、例えば、次のサイズ「Ｌ」又はサイズ４は、９〜１４ｋｇの乳児用に設計されている。これらの値は当然のことながら、各製造業者が自身のラインナップにおける物品に対して異なる推奨される体重範囲を有し得るため、例示的である。また、中間サイズ（例えば、４＋）も存在し得る。前の例で見られるように、２つの隣接するサイズの範囲は、典型的には、それらの境界で重なり合う。
【０００７】
製造業者は、典型的には、テープが最も内側の表示部と最も外側の表示部との間で締着されたときにおむつが推奨される体重範囲内の乳児に最良にフィットするように、自身のテープ式製品を設計することができる。連続的な体重範囲は通常重なり合うため、典型的な乳児（又は設計対象の乳児）は、実際には、重なり合いのほぼ中間点でサイズを切り替える。したがって、例えば、Ｓサイズが５ｋｇ未満であり、Ｍサイズが４ｋｇ〜８ｋｇである場合、期待される移行体重は約４．５ｋｇである。このようにして、介護者は、４ｋｇ程度の早期に、又は５ｋｇ程度の後期に（乳児の固有のニーズに応じて）切り替える選択肢を有するが、典型的な乳児用に、締着表示部は、４．５ｋｇの乳児がＳサイズの最も外側の表示部及びＭサイズの最も内側の表示部であるように配置される。このようにして、最も外側の表示部は、乳児が次のサイズの設計範囲内で十分であるというリマインダーとして機能する。テープの中間配置は、その範囲内の中間体重に対応する。
【０００８】
ほとんどの介護者は、締着領域内のどこかに締着具を最適に締着すべきであることを理解しているが、介護者は多くの場合、締着表示部を使用したテープの最良の配置を理解することが困難である。表示部を使用する物品のサイズを介護者がより良好に選択するのを支援するために、技術分野において様々な提案がなされてきた。例えば、国際公開第２００９／００５４１３（Ａ１）号（Ｌｅｎｈｕｌｔら）は、例えば、介護者が、物品が正しいサイズであるか、又は着用者がより大きなサイズの物品を必要とするかどうかを介護者が判定するのを支援するという課題に対処する。Ｌｅｎｈｕｌｔは、着用者にとって物品が小さすぎることを示す標的領域の外側に位置するサイズフィット表示手段を使用する。サイズ表示手段は、どのサイズに変更するべきかについての目安を含み得る。特開２０１０１４８７３１号（Ｔｏｄａら）は、介護者が、着用者の体形にフィットするようにおむつのサイズをいつ変えるかを介護者が決定するのを助ける、類似の表示システムを記載している。
【０００９】
しかしながら、これらのシステムは、多くの消費者にとって直感的ではなく、締着領域上の締着具の位置決めは、依然として介護者の個々の好み又は習慣によって決まり得る。
【先行技術文献】
【特許文献】
【００１０】
【特許文献１】米国特許第３，８４８，５９４号
【特許文献２】米国特許第４，６６２，８７５号
【特許文献３】米国特許第４，８４６，８１５号
【特許文献４】米国特許第４，８９４，０６０号
【特許文献５】米国特許第４，９４６，５２７号
【特許文献６】米国特許第５，１５１，０９２号
【特許文献７】米国特許第５，２２１，２７４号
【特許文献８】米国特許第６，４３２，０９８号
【特許文献９】米国特許第４，９６３，１４０号
【特許文献１０】国際公開第２００９／００５４１３（Ａ１）号
【特許文献１１】特開２０１０１４８７３１号
【発明の概要】
【発明が解決しようとする課題】
【００１１】
したがって、着用者との良好なフィット性を提供するために、単純で、容易で直感的に理解可能な締着システムが必要とされている。
【課題を解決するための手段】
【００１２】
本発明は、少なくとも３つのパッケージを含む個人衛生吸収性物品のラインナップを対象とする。第１のパッケージは、第１のサイズを有する物品を含み、第２のパッケージは、第２のサイズを有する物品を含み、第３のパッケージは、第３のサイズを有する物品を含む。各サイズは異なる体重範囲を有し、これは、所与の物品のサイズについて製造業者によって示されるような、推奨される着用者の体重範囲である。第３のサイズの体重範囲は、第２のサイズの体重範囲よりも部分的に高く、第２のサイズの体重範囲は、第１のサイズの体重範囲よりも部分的に高い。したがって、１つの体重範囲の上限は、ラインナップにおける次のサイズの体重範囲の下限よりも高いか又は少なくとも等しい。このようにして、少なくとも請求されるサイズ、好ましくはラインナップ全体について、２つの連続するサイズは、体重範囲が重なり合うことになり、したがってラインナップは、ラインナップにおける２つの隣接するサイズの間の体重範囲にギャップがない連続的な体重提示を提供する。
【００１３】
ラインナップ内の各物品は、前縁部、後縁部を有し、前縁部の中央から後縁部の中央まで延在する長手方向軸によって概念的に分割される。物品は、前側領域及び後側領域に概念的に分割され、各領域は、長手方向軸に沿って測定したときに等しい長さを有する。横断軸は、長手方向軸に対して垂直な軸として画定され、物品の後側領域から前側領域を概念的に分離する。
【００１４】
前側領域の締着領域は、最も内側の締着表示部の対と、最も外側の締着表示部の対と、典型的には中間の締着表示部の少なくとも１つの対とを含み、各対の一方の部材は、長手方向軸の一方の側に配置され、その対の他方の部材は、長手方向軸の他方の側に対称的に配置される。所与の対の各部材は、その対の他の部材から、それぞれの距離（本明細書では間隔と称される）だけ離れている。
【００１５】
本発明によれば、第３のサイズの最も内側の締着表示部の対の間隔（Ａ’’−Ａ’’）は、第２のサイズの最も内側の締着表示部の対の間隔（Ａ’−Ａ’）よりも大きく、第２のサイズの最も内側の締着表示部の対の間隔（Ａ’−Ａ’）は、第１のサイズの最も内側の締着表示部の対の間隔（Ａ−Ａ）よりも大きい。
【図面の簡単な説明】
【００１６】
【図１】着用者によって着用されるときの閉鎖位置にある例示的なテープ式おむつの斜視図を示す。
【図２】図１の例示的なテープ式おむつの衣類に面する側の平面図を示す。
【図３】サイズが大きくなる順に、それぞれ、第１のサイズ、第２のサイズ、及び第３のサイズのための締着表示部を有する例示的な締着領域の拡大図を示す。これらの図面は、互いに対して原寸に比例している。
【図４】サイズが大きくなる順に、それぞれ、第１のサイズ、第２のサイズ、及び第３のサイズのための締着表示部を有する例示的な締着領域の拡大図を示す。これらの図面は、互いに対して原寸に比例している。
【図５】サイズが大きくなる順に、それぞれ、第１のサイズ、第２のサイズ、及び第３のサイズのための締着表示部を有する例示的な締着領域の拡大図を示す。これらの図面は、互いに対して原寸に比例している。
【図６】異なるサイズの吸収性物品を含む３つのパッケージのラインナップの一例を概略的に示す。
【発明を実施するための形態】
【００１７】
吸収性物品の概説
乳児用テープ式おむつ２０の形態の本発明による例示的な吸収性物品が図１〜図２に示されている。図１は、着用者によって着用されたときに見えるような、閉じた状態の例示的なおむつの斜視図である。図２は、おむつ（バックシート）の衣類に面する側が示されている、開構成に開かれた同じおむつを示す。本発明は、多種多様なおむつ、又は成人失禁用おむつなどの他の吸収性物品で用いられ得るため、このおむつ２０は単に説明のために示されたものである。以下では、単語「おむつ」及び「吸収性物品」は、互換的に使用される。
【００１８】
吸収性物品２０は、前縁部１０、後縁部１２、及び２つの長手方向に延在する側（横）縁部１３、１４を含む。前縁部１０は、着用時にユーザーの前方に向かって置かれるように意図された、物品の縁部であり、後縁部１２はその反対側の縁部である。吸収性物品は、図２に例示的に示されるように、物品を平らに広げた構成で見たときに、物品の前縁部の中央から後縁部の中央まで長手方向に沿って延在する長手方向軸８０によって概念的に分割され、物品をこの軸に対して二つの実質的に対称な右半分及び左半分に分割する。
【００１９】
物品は、図２に示すように、長手方向軸８０に沿って後縁部から前縁部まで測定される長さＬを有する。物品の特定の部品に伸縮性の構成要素によって張力が作用している場合、物品は典型的に、物品の外周及び／又は粘着表面に沿ってクランプを使用して平らにすることができ、それによって、物品をピンと引っ張って実質的に平らにすることができる。吸収性物品はまた、横断軸９０によって、横断軸９０から物品の前縁部１０まで延在する前側（腰部）領域１５と、横断軸９０から物品の後縁部１２まで延在する後側（腰部）領域１６とに概念的に分割され得る。横断軸９０は、長手方向軸８０に対して垂直な線として定義され、前側領域及び後側領域が同じ長さを有するように物品の長さの半分に配置される。長手方向軸８０と横断軸９０との交点は、本明細書では物品の中間点Ｍとして定義される。締着具４２は、図２に示されるように、横断方向に沿って最も遠い点で測定される距離Ｗ、以下ではウイングスパンと称される、だけ離れている。物品が伸縮性の後側ウエストバンド又は後耳部を有する場合、ウエストバンド及び後耳部が静止した状態で、換言すれば非伸張状態でウイングスパンが測定され、物品の後縁部は、横断方向に対して平行に可能な限り真っ直ぐに配向される。
【００２０】
本発明の吸収性物品は、おむつタイプの吸収性製品で使用される典型的な層及び構成要素のうちのいずれかを含んでもよく、単純化された図１〜図２では必ずしも表されていない。典型的には、吸収性物品は、着用者に面する表面上に液体透過性トップシート２４を含み、衣類に面する表面上に液体不透過性バックシート２５を含み、トップシートとバックシートとの間に吸収性コア２８を含み、これらはまとめておむつのシャーシと称される。バックシートは、典型的には、バックシートパターンで印刷されてもよい流体不透過性プラスチックフィルム、及びバックシートにより優れた感触及び外観を与える低坪量（８〜２５ｇｓｍ）の不織布カバーを含んでもよい。吸収性物品はまた、トップシートと吸収性コアとの間に流体捕捉層及び／又は流体分配層を含んでもよい。伸縮性ガスケットカフ、直立バリアレッグカフなどの他の典型的なおむつ構成要素が典型的には存在するが、表示されていない。吸収性物品はまた、他の通常の構成要素を含んでもよく、これは図には示されていないが、物品、横断方向バリアカフ、ローション外用薬、コア及び／又は分配層内のチャネル、湿り度インジケータなどを含んでもよく、これらの全ての構成要素は当該技術分野において周知である。
【００２１】
吸収性物品はまた、物品の後縁部に対して平行に且つそれに沿って配置された弾性ウエストバンド（弾性腰部特徴部とも呼ばれる）と、物品の前縁部に対して平行に且つそれに沿ってあまり一般的でない別の弾性ウエストバンドを含んでもよい。このようなウエストバンドは、物品の後縁部及び／又は前縁部における改善されたフィット及び収容を提供するのに役立つ。弾性腰部特徴部は、概して、弾性的に伸縮して、着用者の腰部に動的にフィットすることが意図されている。弾性腰部特徴部は、多数の異なる構成で構築されてもよい。後側ウエストバンド及び前側ウエストバンドの非限定的な例は、国際公開第２０１２／１７７４００号及び同第２０１２／１７７４０１号（Ｌａｗｓｏｎ）、並びに米国特許第４，５１５，５９５号、同第４，７１０，１８９号、同第５，２２１，２７４号、及び同第６，３３６，９２２号（ＶａｎＧｏｍｐｅｌら）に見出すことができる。
【００２２】
トップシート２４、バックシート２５、吸収性コア２８、及び他の物品の構成要素は、具体的には、糊付け、融着、及び／又は圧着によって種々の周知の構成に組み付けられてもよい。
【００２３】
締着システム４２、４４の一般的な説明
吸収性物品は、物品が着用者の身体の周囲で閉じられることを可能にする締着システムを含み、したがって、図１に示されるように、脚部及び着用者の腰部のための開口部を提供する。締着システムを使用して、吸収性物品を着用者にしっかり保持するために吸収性物品の周囲に横方向の張力を提供できる。締着システムは、物品の前側腰部領域の衣類に面する側の締着領域４４に締着され得る、物品の後側領域上に配置されるか、又はそれに取り付けられた締着具の対４２を備える。締着具は、例えば、面ファスナーシステムのループ要素と相互作用することができる、それらの遠位端フック要素を備える、従来の締着テープの対を含んでもよい。ランディングゾーンとも呼ばれる締着領域４４は、物品の前側領域の衣類に面する側に設けられる。締着具４２は、物品のシャーシに直接又は間接的に取り付けられてもよい。具体的には、締着テープ４２は、典型的には伸縮性であり得る後耳部４０を通して物品のシャーシに取り付けられてもよい。
【００２４】
締着具４２は、典型的には、締着領域４４に取り外し可能に取り付けることができる。締着領域は、特に、現場で一般的に使用されるように、面ファスナー締着システムにおける締着具のフック部材と係合するように適合されたループ構成要素を含み得る。より一般的には、タブ＆スロット、バックル、ボタン、スナップ、及び／又は雌雄同体締着構成要素などの、雄型構成要素及び雌型構成要素を含む任意の締着具システムが使用されてもよい。他の既知の締着システム、例えば、（付箋に対して使用されるような）接着力が低い接触接着剤を含む締着具を含む締着具を使用してもよく、締着領域は任意選択的に共接着剤を含む。マイクロ吸引カップを含む締着具も知られている。
【００２５】
吸収性物品は、おむつの前縁部及び後縁部にそれぞれ近接して配置され、シャーシの残りの部分から横方向外側に延在する前耳部４６及び／又は後耳部４０を含み得る。前耳部及び／又は後耳部は、例えば、トップシート及び／又はバックシートからサイドパネルとして形成される、シャーシの一体部分であり得る。これは、典型的には、シャーシが矩形ではないが、砂時計又は同様の形状である場合である。その場合、締着テープは、後耳部を介して間接的にではなく、代わりにシャーシに直接取り付けられてもよい。あるいは、図１〜図２に示されるように、前耳部及び／又は後耳部は、物品の残りの部分に糊付け及び／又は熱エンボス加工によって取り付けられた別個の要素であってもよい。
【００２６】
後耳部４０は、任意選択的には、ランディングゾーン４４上でのタブ４２の取り付けを容易にし、且つテープ式おむつを着用者の腰部周辺の所定の位置に保持するように、伸縮性である。後耳部４０は、伸縮性且つ弾性であってもよい。後耳部は、例えば、典型的には２つの不織布層の間に挟み込まれたエラストマーフィルムを含む積層体を含んでもよい。積層体は、例えばリングロールによって機械的に活性化されてもよい。このような弾性積層体の例示的な開示は、国際公開第２００７／１２２５８８号（Ｍａｎｓｆｉｅｌｄ）又は国際公開第２００６／１２４３３７号（Ｖｅｎｋｉｔａｒａｍａｎら）に見出すことができる。後耳部は、典型的には、おむつのシャーシが図２に示されるように矩形であるときに使用され、締着テープと物品のシャーシとの間に配置される。前耳部は、典型的には、弾性又は伸展性ではなく、不織布材料で作製されてもよい。より稀には、例えば、後耳部の不織布と係合する追加のフックパッチを前耳部に有する二重締着システムを有するいくつかの製品が提案される。本発明によって必要とされる締着具は、物品の後側領域上の最も外側の位置に配置されるものである。また、別の製品、つまりほとんどの成人失禁用製品では、主締着テープの長手方向内側に位置する副締着テープを有し、これらは対応するランディングゾーンを有することも示唆されている。これらの締着テープ及び対応するランディングゾーンのいずれも、本発明によるものであってよい。
【００２７】
前側領域の締着領域は、本明細書でランディングゾーンと称される、バックシートの外部を向いた側に接着剤で、ないしは別の方法で取り付けられた専用の材料片４４によって構成されてもよい。このランディングゾーン材料は、その長辺が長手方向軸に対して横断方向に配置された略矩形であってもよい。このランディングゾーン材料は、典型的には、締着タブ上の雄型構成要素と取り外し可能に係合し得る締着システムの雌型構成要素を形成する繊維を含む。本発明で使用することができる様々なランディングゾーン材料が過去に開発されてきた。ランディングゾーンは、例えば、例えば接着剤によって編み繊維メッシュがその上に取り付けられたプラスチックフィルムを含んでもよい。締着表示部は、プラスチックフィルム上に印刷されてもよい。不織布を単独で、又はプラスチックフィルムと組み合わせて使用して、積層体を形成してもよい。けん縮複合繊維を含む好適な不織布は、例えば、米国特許出願公開第２００４／００６７７０９（Ａ１）号（Ｋｉｓｈｉｎｅら）に開示されている。
【００２８】
ランディングゾーン材料は、半透明又は不透明であってもよい。締着表示部は、ランディングゾーン材料自体上に印刷されても、ないしは別の方法で形成されてもよく、あるいは、ランディングゾーン材料が少なくとも部分的に透明である場合には、締着ガイドがバックシートパターンの一部としてバックシートフィルム上に印刷されてもよく、専用の締着領域材料を通して見えてもよい。米国特許第２０１０／２９８，７９６（Ａ１）号（Ｈｏｒｎら）は、例えば、不織布ランディングゾーン材料上に直接印刷することができるグラフィック画像を開示している。バックシートは、典型的には、特に本明細書で更に議論されていない子供用おむつでは、フィルム材料上に印刷された装飾的パターンを含む。
【００２９】
あるいは、締着領域は、ランディングゾーンを形成する専用の別個の材料片によって形成されないが、その代わりに、締着具は、バックシートの不織布外側カバーが存在する場合、そのような外側カバーの繊維と直接係合してもよい。これは、例えば、国際公開第２０１６／０６０９２２（Ａ１）号（Ｊｅｎｎｅｗｅｉｎら）に開示されている。その場合、締着は実際にバックシートフィルム上にバックシートの印刷パターンの一部として印刷されてもよく、締着領域は前側領域の特定の領域に限定されない。要約すると、おむつについての技術分野において既知の任意のタイプの締着システムを使用することができる。
【００３０】
ラインナップ
本明細書で使用するとき、用語「ラインナップ」は、サイズ範囲が増大し、同様の包装要素を有する吸収性物品を含む複数のパッケージを指し、これは特に、ブランド名（例えばＰａｍｐｅｒｓ（登録商標））であってもよく、該当する場合はサブブランド（例えばＰａｍｐｅｒ（登録商標）Ｂａｂｙ−Ｄｒｙ（登録商標））であってもよいが、包装材料のタイプ、フィルム、紙、主色、デザインテーマなども含む。共通の包装要素は、異なる製品が互いに関連付けられていることをユーザーに伝えているので、特定のサイズの物品が所与の着用者に対して小さすぎると、ユーザーは、ラインナップの次のサイズの物品がより大きな着用者に適合されることを直接理解するであろう。
【００３１】
吸収性物品のサイズは、典型的には、数字「サイズ０」（又は「新生児」）、「サイズ１」「サイズ２」．．．、又は文字「ＸＳ」、「ＮＢ」（新生児（New Baby））、「Ｓ」、「Ｍ」、「Ｌ」、．．．、又はその他によって記載されてもよい。典型的には、各サイズは、それらが特に適合される、対象の又は推奨される着用者の体重範囲を有する。この推奨される体重範囲は、吸収性物品の包装時に製造業者によって表示される。２つの隣接するサイズの体重範囲は、以下の実施例に更に示されるように、部分的に重なり合う。示される対象体重範囲は、製造業者によって決定され、これは、対象範囲内の着用者のニーズに寸法及びタイプの材料を適合させる。例えば、おむつの寸法及び吸収性材料の量は通常、少なくとも、子供が自分の失禁を制御することを学習するにつれて吸収性材料の量が低減され得るトイレトレーニング段階まで、乳児用おむつのサイズの増大にわたって増加する。
【００３２】
本発明の第１、第２、及び第３のサイズの物品は、有利には、ラインナップの進行において直接順次追従してもよく、例えば、第１のサイズは「Ｓ」であってもよく、第２のサイズは「Ｍ」であってもよく、第３のサイズは「Ｌ」であってもよい。典型的には、第１のサイズの推奨される体重範囲は、第２のサイズの体重範囲とその上限で重なり、第２のサイズの体重範囲は、第３のサイズの体重範囲でその上限で重なり合う。換言すれば、第１のサイズの範囲の上限は、第２のサイズの範囲の下限以上であってもよく、第２のサイズの範囲の上限は、第３のサイズの範囲の下限以上であってもよい。例えば、第１の物品（「ＮＢ」＝新生児）の推奨される体重範囲は、最大５ｋｇであってもよく、次のサイズ（「Ｓ」＝小サイズ）の体重範囲は、４〜８ｋｇであってもよく、したがって、４〜５ｋｇの範囲で重なり合う。サイズＳ、Ｍ及びＬにわたる更なる例について、以下の本発明の実施例を参照されたい。中間サイズ（単数又は複数）、例えばサイズ４＋もラインナップには存在してもよい。これらの中間サイズは、本発明によるものであっても、そうでなくてもよい。
【００３３】
締着表示部
締着表示部は、締着領域上の締着具の可能な取り付け位置の目安をユーザーに提供する示差的マークである。本明細書で使用するとき、用語「ユーザー」は、典型的には、親、教育スタッフ、又は看護師などの介護者である、着用者に物品を着用させる人を指す。締着表示部は、進行を示すことができる視覚的な記号、信号、又は合図を含んでもよい。このような表示部は、多くの可能な異なる形態をとることができる。図３〜図５に示される実施例に示されるように、締着表示部は、単に、書かれたアラビア数字「１」、「２」及び「３」を含んでもよいが、進行の描写について直ちに理解可能な任意の他の記号も好適であり、数例を挙げると、ローマ数字（「Ｉ」、「ＩＩ」、「ＩＩＩ」）、アルファベット文字（「Ａ」、「Ｂ」、「Ｃ」）、様々な数の任意のオブジェクト又はアイテム（１つのハート、２つのハートなど）、次第に大きくなる動物（ウサギ、より大きなイヌ、ゾウ）、濃淡の変化（軽、中、強）又は色分け（緑色、黄色、赤色）である。必ずしも必要ではないが、締着表示部はまた、円又は正多角形（正方形、矩形、六角形など）などの明確に識別可能な中心を有する幾何学的形状を含んでもよい。次いで、進行を示す記号は、幾何学的形状に対して中心に配置されてもよい。
【００３４】
あるいは、締着表示部は、通常、締着具を締着領域の中心に向けて配置すると、締着具のより外側へ配置するよりも腰部開口部が小さくなることはユーザーには一目で明らかであるので、締着表示部は、本質的に進行の目安を提供する必要はない。したがって、複数の締着表示部は、進行を暗示することなく、締着具の可能な位置決めを単に示してもよい。例えば、締着表示部は、ボタン、ピン若しくはジッパー、又は花、動物、若しくは玩具などの任意の装飾的な図形などの、グラフィックで暗示する取り付け部であってもよい。締着表示部はまた、特定の記号を有さない異なるゾーン、例えば、異なる色のゾーンから構成されてもよい。この場合の表示部間の距離は、各ゾーン及び各サイズについて一貫した様式で、各ゾーンの横断方向中心で測定される。締着表示部はまた、ユーザーの基準要素を提供することによって、物品の各側に締着具を対称的に配置するのに役立つ。
【００３５】
図３は、表示部の３つの対Ａ−Ａ、Ｂ−Ｂ、Ｃ−Ｃを含む例示的なランディングゾーンを示している。この例では、表示部は印刷されており、それぞれ数字「１」、「２」及び「３」を含み、締着領域に見える円の中に配置されている。表示部は、表示部の対として存在し、各対の一方の部材は長手方向軸の一方の側に配置され、他方の部材は長手方向軸の他方の側に配置されている。したがって、各一対の締着表示部は、長手方向軸に対して対称的に配置される。表示部は、表示部の位置及び中心を強調するために、円又は別の規則的な幾何学的形状の中に含まれてもよい。締着領域は、当然のことながら、締着表示部に加えて装飾パターンを含んでもよい。装飾パターンはまた、表示部と協働しない要素を含んでいてもよく、例えば、締着領域の中央の表示部の間に製造業者のブランド名又はロゴを表示してもよい。
【００３６】
最も内側の締着表示部の対は、距離Ａ−Ａだけ離れている対「１−１」であり、最も外側の締着表示部の対は、距離Ｃ−Ｃだけ離れている対「３−３」である。この実施例では、図には離れている距離Ｂ−Ｂで示された最も内側の表示部と最も外側の表示部との間に、中間の締着表示部の１つの対「２−２」が存在している。２つの表示部の間の距離は、おむつの長手方向に垂直に測定され、換言すれば横断方向に平行である。締着領域の各側にある複数の個々の表示部Ａ、Ｂ、Ｃは、概念的な線に沿って整列していてもよい。この線は、図３に示すように、物品の横断方向に平行に、又は横断軸に対してある角度で整列されてもよく、例えば１°〜２０°の範囲の角度であってもよい。
【００３７】
表示部の位置
介護者は、最も内側の表示部が、締着具を所与のサイズについて配置するための正しい開始位置であると直感的に思う。例えば、親は、新しいサイズのおむつ（例えば、「Ｓ」サイズ）の使用を開始する場合、知覚される最適な配置として最も内側の表示部の上又はその近くに締着具を置くことになる。したがって、最も内側の表示部は、締着具の中心（例えば、テープのフック部分）が最も内側の表示部上に位置付けられると、締着具の位置が、その所与のサイズでの製品の対象体重範囲の典型的なエントリー体重に最適となるように、締着領域上に位置付けられるべきである。
【００３８】
乳児が成長するにつれて、乳児の腰部サイズが増大すると、介護者は、締着領域上における締着具の配置を外側に漸進的にシフトさせて、開始位置とほぼ同じおむつの腰部張力を維持する。締着具が最も外側の表示部に到達すると、これは介護者に対して、おむつがもはや乳児のサイズに適合しておらず、次のサイズに（例えば、「Ｓ」から「Ｍ」に）切り替えるべきときであることの合図として機能する。介護者は、次のサイズのおむつを使用するとき、典型的には、この次のサイズの締着領域上の最も内側の表示部に締着具を置く。したがって、最も外側の表示部は、締着具が最も外側の表示部の中心に配置されるとき、締着具の位置が、所与のサイズでの製品の対象体重範囲のイグジット体重に最適となるように、締着領域上に配置されるべきである。
【００３９】
このような洞察の結果、本発明者らは、最も内側の表示部Ａ、Ａの間隔Ａ−Ａも、製品サイズを増大させると共に増大させる必要があることを見出した。このようにして、より大きいサイズの物品の新しい表示部Ａ’、Ａ’上に締着具を配置するとき、新しい表示部Ａ’の間の間隔Ａ’−Ａ’は、以前のおむつのサイズ上の間隔Ａ−Ａよりも大きい（Ａ’−Ａ’＞Ａ−Ａ）。次のサイズに再度移動することによって、次のサイズの最も内側の表示部Ａ’’間の間隔Ａ’’−Ａ’もやはり、前のサイズの間隔Ａ’−Ａ’よりも大きくなる（Ａ’’−Ａ’’＞Ａ’−Ａ’）。これは、３つの異なるサイズのおむつ（「Ｓ」、「Ｍ」、及び「Ｌ」）のランディングゾーンの形態の表示部及び締着領域を示す、図３〜図５に例示される。３つの図は、互いに対して互いに対して原寸に比例しており、最も内側の表示部の間隔が物品のサイズと共に増大することを示している。示されるように、第１のサイズについて図３に示される最も内側の表示部の間隔Ａ−Ａは、図４に示されるような第２のサイズのＡ’−Ａ’の表示部の間隔よりも小さく、最も内側の表示部の間隔は、ここでも、第１及び第２のサイズと比較して、第３のサイズのための表示部Ａ’’−Ａ’’の方が大きくなる。これは、式Ａ’’−Ａ’’＞Ａ’−Ａ’＞Ａ−Ａによって要約され得る。本発明者らは、おむつのラインナップの（少なくとも３つの）増大するサイズにわたる最も内側の表示部の間隔のこの規則的な進行は、介護者によるランディングゾーンに対する締着テープのより良好な配置をもたらしたことを見出した。
【００４０】
図３〜図５では、締着領域はランディングゾーン材料４４、４４’、４４’’を含む。ランディングゾーン材料及びその寸法は、示されるように、これらのサイズにわたって同じであってもよいが、異なっていてもよい。表示部は、ランディングゾーン材料がランディング区域を通して見えるように十分に透明である場合に、ランディングゾーン材料４４又はバックシート上に印刷されてもよい。しかしながら、ランディングゾーン４４が存在しない場合、締着具は不織布バックシート外側カバーと直接係合することができ、その後、締着領域を直接形成することも可能である。その場合、表示部は、ランディングゾーン材料の下でバックシートフィルム又はバックシート不織布上に直接印刷されていてもよい。
【００４１】
締着表示部は、おむつの長手方向軸に対して対称に配置された表示部の少なくとも２つの対を含む。典型的には、最も内側の締着表示部の対Ａ、Ａ及び最も外側の締着表示部の対Ｃ、Ｃに加えて、中間の締着表示部の対Ｂ、Ｂも存在する。例えば、中間表示部の第２の対（図示せず）が存在してもよい。有利には、最も外側の締着表示部の対の部材の間隔Ｃ−Ｃもまた、最も内側の対の部材の間隔と同様に、また１つ以上の中間表示部の対の間隔Ｂ−Ｂに関しても同様にサイズと共に増大する。
【００４２】
更に、所与のサイズの各物品について、長手方向軸の同じ側の２つの隣接する表示部間の距離は、全ての隣接する表示部に対して実質的に同じ（Ａ−Ｂ＝Ｂ〜Ｃ）であってもよい。隣接する２つの表示部の間の隣接距離はまた、第１、第２、及び第３のサイズで同じであってもよい（Ａ−Ｂ＝Ａ’−Ｂ’＝Ａ’’−Ｂ’’＝Ｂ−Ｃ＝＝Ｂ’−Ｃ’＝Ｂ’’−Ｃ’’）。
【００４３】
表示部が明確に識別可能な中心を有するとき、２つの表示部の間隔は、「標的」としても知られる各表示部の中心の間で測定される。例えば、表示部が、図に示されるような円形又は正方形又は多角形などの規則的な幾何学的図形を含む場合、この幾何学的図形の各中心間の距離が測定される。表示部が数値的な符号のみからなる場合、横断方向の数値的な符号の中央で距離が測定される。不規則な形状を有する全ての想像可能な他の種類の表示部の測定原理を示すことは不可能であるが、これはまた、本発明のため測定されるのは、絶対値ではなく間隔の増大又は減少であるため、重要ではない。したがって、２つの表示部の間隔は、異なる表示部の同じ基準点を使用して一貫して測定されるべきである。
【００４４】
表示部は横断方向に平行に、又は横断方向に対してある角度で整列されていてもよく、又は別の方法で整列されてもよいが、２つの表示部の間隔は、報告されるように、横断方向に平行に測定される。測定の不確実性を考慮するために、２つの表示部の間隔が２ｍｍ以下異なる場合は実質的に同じであると考えられる。２つの表示部の間隔は、これらが、２ｍｍ以上、特に３ｍｍ以上、又は４ｍｍ以上異なっている場合に異なると考えられる。
【００４５】
更に考慮すると、フック部分を有する従来の締着テープが締着具として使用されるとき、２つの最も内側の表示部は、有利には締着領域上に配置されてもよく、これにより、介護者は、締着テープを重ねずに最も内側の表示部の中心にフック部分の中心を置くことができる。テープのフック部が最も内側の表示部の中心に配置されるとき、所望のテープ端部間の間隔は、最低限の１０ｍｍに設定されてもよい。これにより、テープの端部の重なりが回避される。更に、フック部の中心からテープの端部までの距離の例示的な値は、約１５ｍｍであってもよい。上記に示されたテープの端部の間における所望の間隙が少なくとも１０ｍｍである場合、最も内側の表示部の最小中心間隔は、例えば、少なくとも４０ｍｍ、あるいは少なくとも５０ｍｍであってもよい。
【００４６】
本発明の実施例１
以下は、４つの異なる製品サイズ（ＮＢ＝「新生児」、「Ｓ」＝小、「Ｍ」＝中、及び「Ｌ」＝大）を含むラインナップの一例である。全ての製品の締着領域は、ランディングゾーン（ＬＺ）材料と、表示部の３つの対（最も内側の表示部１−１、最も外側の表示部３−３及び中間表示部２−２）を含む。各対（最も内側、中間、及び最も外側）の部材間の距離は、製品のサイズが増大するにつれて漸進的に増大する。このラインナップは、本発明の要件を満たす４つのサイズを含むが、本発明は、少なくとも３つのサイズが特許請求の範囲の要件に含まれることを必要とするだけである。間隔距離Ａ−Ａ、Ｂ−Ｂ、Ｃ−Ｃは、ｍｍ単位で報告される。
【００４７】
【表１】
2020505184.tif 000003
【００４８】
上の表に見られるように、最も内側の表示部の間隔は、１つのサイズから次のサイズまで、この例では約５ｍｍずつ増大する。中間表示部の間隔及び最も外側の表示部の間隔もまた、１つのサイズから次のサイズへと増大する。
【００４９】
従来技術例１
以下の測定は、ＵｎｉｃｈａｒｍＣｏｍｐａｎｙにより製造され、日本で販売されているＭｏｏｎｙ（登録商標）おむつのラインナップに関して行った。締着領域は、分割ランディングゾーン（間隙によって分離された２つの同様の材料）から構成されていた。報告されるランディングゾーンの幅は、間隙を含む。
【００５０】
【表２】
2020505184.tif 000004
【００５１】
見て分かるように、このラインナップでは、最も内側の表示部の対、中間表示部の対、及び最も外側の表示部の対の間の距離は、サイズＮＢとＳとの間でも、サイズＭとサイズＬとの間でも増加しなかった。
【００５２】
従来技術例２
以下の測定は、Ｋａｏ  Ｃｏｒｐｏｒａｔｉｏｎにより中国で市販されているＭｅｒｒｉｅｓ（登録商標）おむつに関して行われた。
【００５３】
【表３】
2020505184.tif 000005
【００５４】
見て分かるように、このラインナップでは、最も内側の表示部の対、中間表示部の対、最も外側の表示部の対の間の距離は、サイズＮＢとサイズＳとの間及びサイズＭとサイズＬとの間で増大しなかった。
【００５５】
従来技術例３
以下の測定は、本特許出願の出願日前に、Ｐｒｏｃｔｅｒ＆ＧａｍｂｌｅＣｏｍｐａｎｙによって日本で市販されているＰａｍｐｅｒｓ（登録商標）おむつで行った。
【００５６】
【表４】
2020505184.tif 000006
【００５７】
見て分かるように、このラインナップでは、最も内側の表示部の対、中間表示部の対、及び最も外側の表示部の対の間の距離は、サイズＳとサイズＭとサイズＬとの間で増大しなかった。
【００５８】
パッケージ
個人衛生用の吸収性物品は、典型的には、製造業者によって、輸送及び販売のためにプラスチック製の袋及び／又はボール紙製の箱に包装される。物品は、当該技術分野において知られているように、折り畳まれて包装されていてもよい。テープ式おむつの後耳部及び前耳部は、例えば、典型的には内側に折り畳んだ後におむつをその横断軸に沿って２つ折りにし、その後、包装される。吸収性物品は、パッケージのサイズを低減するために、圧縮して包装してもよく、その結果、介護者はパッケージを容易に取り扱い、保管することができる一方で、パッケージのサイズのおかげで製造業者は流通及び在庫を節約することもできる。第１、第２、及び第３のパッケージはそれぞれ、例えば、２個から２００個の第１、第２、及び第３の物品をそれぞれ含んでもよい。
【００５９】
最も典型的には、本発明の吸収性物品は、異なるサイズの使い捨て物品を含み、且つ、前述したように、ラインナップにわたって同じブランド及び／又はサブブランド並びに／あるいは製品の特徴及び／又は利益などの同様の物品構造を有するパッケージのディスプレイとして消費者に市販される。パッケージは、典型的には、小売店の所与の領域内で互いに近接して販売される又は仮想インターネットストアで販売される場合、異なるサイズのパッケージは、同じインターネットページに表示されていてもよく、又はそこからリンクされてもよい。
【００６０】
図６は、それぞれ３つの異なるサイズＳ、Ｍ及びＬの吸収性物品をそれぞれ含む３つのパッケージ２１０、２２０、２３０を含むラインナップ２００の概略図を示す。当然のことながら、ラインナップ全体は、典型的には、例えば、より小さいサイズ（ＮＢ）及びより大きいサイズ（ＸＬ、ＸＸＬ）に加えて、それ以上のサイズを含んでもよく、これは表されていない。当然のことながら、各製造業者は、異なるサイズ指定を使用することができ、例えば、欧州及びアメリカ合衆国におけるラインナップにはサイズ０、１、２、３．．．などの番号付けを使用することがより一般的である。パッケージの寸法は、その中に包装された吸収性物品のサイズに関連していてもよいが、物品の量は各パッケージにおいて変動し得るので、常に当てはまるとは限らない。
【００６１】
その他（Misc）
本明細書で使用するとき、「含む、備える（comprise(s)、comprising）」という用語は、非限定的（open-ended）である。それぞれは、続いて記載される特徴、例えば構成要素の存在を特定するものであるが、他の特徴、例えば、技術分野において既知であるか、又は本明細書に開示される要素、工程、構成要素の存在を除外するものではない。「含む、備える（comprise）」という動詞に基づくこれらの用語は、特徴がその機能を実施する方法に著しく影響を及ぼす言及されていないあらゆる要素、工程、又は成分を除外する、「から本質的になる（consistingessentiallyof）」というより狭義の用語、及び明記されていないあらゆる要素、工程、又は成分を除外する、「からなる（consisting of）」という用語を包含すると解釈されるべきである。以下に記載する好ましい又は例示的な実施形態はいずれも、特許請求の範囲を限定することが具体的に示されていない限り、特許請求の範囲を限定しない。「典型的に」、「通常は」、「好ましくは」、「有利には」、「具体的には」などの語も、特許請求の範囲を限定することが具体的に示されていない限り、特許請求の範囲を限定することを意図しない特徴を修飾する。
【００６２】
別段の指定がない限り、明細書及び特許請求の範囲は、少なくとも２４時間、２１℃±２℃且つ相対湿度（ＲＨ）５０±５％で調整された、使用前の（すなわち乾燥しており、液体を含んでいない）吸収性コア及び物品を指す。
【００６３】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味するものとする。
【００６４】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００６５】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2020505184.tif 000007
【図２】
2020505184.tif 000008
【図３】
2020505184.tif 000009
【図４】
2020505184.tif 000010
【図５】
2020505184.tif 000011
【図６】
2020505184.tif 000012
【国際調査報告】
2020505184.tif 000013
2020505184.tif 000014